(57)【要約】      （修正有）【課題】小さな構成スペースにおいて保持ジョーの高所の緊締高さを保証する。【解決手段】ばね弾性的に押圧可能であり、且つ容器収容部３ｂに突入する保持ジョー７ｂが案内軌道８ｂによって支承されている。案内軌道８ｂは湾曲され、各保持ジョー７ｂは少なくとも２つの非並行の案内軌道８ｂによって支持されている。容器収容部は取外し可能なパンである。【選択図】図３
2004196293.tif 000002
【特許請求の範囲】
【請求項１】
飲料容器（２，１６）のためのホルダ（１，１ａ，１ｂ）であって、容器収容部（３，１１）と、ばね弾性的に押圧可能であり且つ容器収容部（３，３ｂ，１１）に突入する保持ジョー（７，７ａ，７ｂ）を備えた緊締装置とが設けられている形式のものにおいて、保持ジョー（７，７ａ，７ｂ）が案内軌道（８，８ａ，８ｂ）によって支承されていることを特徴とする、飲料容器のためのホルダ。
【請求項２】
案内軌道（８ｂ）が湾曲されている、請求項１記載のホルダ。
【請求項３】
各保持ジョーが、少なくとも２つの非平行の案内軌道（８ｂ）によって支承されている、請求項１記載のホルダ。
【請求項４】
容器収容部が取外し可能なパン（１１）である、請求項１記載のホルダ。
【発明の詳細な説明】
【技術分野】
【０００１】
本発明は、飲料容器のためのホルダであって、容器収容部と、ばね弾性的に押圧可能であり且つ容器収容部に突入する保持ジョーを備えた緊締装置とが設けられている形式のものに関する。
【背景技術】
【０００２】
カップ、コップ、飲料缶又はビン等のためのポット形の容器収容部を備えたこのような形式の多数のホルダが従来技術に基づき公知である。これらの公知のホルダは、１つ又は複数の、周面にわたって部分的に配置された保持ジョー等を有している。これらの保持ジョーは、ポット形の容器収容部の内部に突入しており且つ斜めの及び／又は丸く面取された滑り面を有している。支承及びばね弾性に基づき、保持ジョーは飲料容器の周面から半径方向で離反するように押圧されて、締付けによって飲料容器を保持する。このようなホルダは、例えばドイツ連邦共和国特許第２９６０６５８３．８号明細書に記載されている。対応する緊締装置は、その都度個別に旋回軸受けを介して補償運動を行う複数の保持ジョーを有している。ばね部材としては、容器収容部に周面係合する弾性的なサークルリング又はベルトが提案される。但し、このような緊締装置は、保持ジョーの保持高さが容器収容部の底部に関して低いという欠点を有している。これは、飲料容器をセットすることにより保持ジョーを旋回させるためには旋回支承に基づいて保持ジョーの上側にかなりの滑り面が形成されていなければならないためである。本来の緊締ポイントは滑り面の下位に配置されており、延いては容器収容部の上縁部の著しく下位に位置している。従って、確実な保持を保証するためには、容器収容部を極めて深く形成する必要があり、その結果、著しい構成スペースが生ぜしめられる。
【特許文献１】ドイツ連邦共和国特許第２９６０６５８３．８号明細書
【発明の開示】
【発明が解決しようとする課題】
【０００３】
本発明の課題は、冒頭で述べた形式の飲料容器のためのホルダを改良して、小さな構成スペースにおいて保持ジョーの高所の緊締高さを保証することである。
【課題を解決するための手段】
【０００４】
この課題を解決するために本発明では、保持ジョーが案内軌道によって支承されているようにした。
【発明の効果】
【０００５】
ホルダは、案内軌道によって支承された保持ジョーを有している。このためには、例えばホルダのケーシング内に溝又は別の凹所が配置されており、これらの溝又は凹所には、保持ジョーに配置されたピン又は別の突出部が係合する。逆に、突出部がケーシングに配置されており且つ凹所が保持ジョーに配置されていてもよい。案内軌道による支承に基づき、運動のジオメトリ及び保持ジョーの各位置に関連して発生する保持力は、極めてフレキシブルに制御可能である。これにより、例えば斜め上方に向けられた保持ジョーの案内に基づいて、容器収容部の上縁部の上位で緊締ポイントを得ることが可能である。このようにして、例えばビン等の細長い飲料容器は高所で緊締される一方で、例えばカップ等の広幅の飲料容器は低所で緊締される。更に、案内軌道における支承は、保持ジョーが案内軌道と相俟ってロックを形成すること無く、くびれを有するビンも取り出せるように、案内軌道が保持ジョーの形状に合わされているということを可能にする。
【０００６】
有利な構成では、案内軌道は湾曲されている。これにより、保持ジョーに関する並進運動と回転運動との組合せが規定されると同時に、保持ジョーの運動軌道、保持ジョーの形状及び飲料容器の形状とが最適に合わされる。更に、各保持ジョーが少なくとも２つの非平行の案内軌道によって支承されていると、保持ジョーの複合的な運動が予め規定され得る。
【０００７】
有利には、ホルダは容器収容部として取外し可能なパンを有している。このことは、容器収容部の簡単なクリーニングを可能にする。この場合もやはり、保持ジョーを別個に第２の手でずらす必要無しでパンが着脱可能であるように、保持ジョーの形状と案内軌道の形状とを選択することができる。
【発明を実施するための最良の形態】
【０００８】
以下に、本発明を実施するための最良の形態を図面につき詳しく説明する。
【０００９】
図１に示したホルダ１は自動車に組み込むために規定されており、ビン２或いは例えばカップ、コップ又は飲料缶等の別の飲料容器を保持するために使用することができる。ホルダ１はポット形の容器収容部３を有している。この容器収容部３の開いた上側に、ホルダ１は蓋４を有している。択一的に、容器収容部は一体で、自動車に設けられたホルダ１用の組込み開口を閉じるために設けられたフランジ状の薄板に移行してよい。容器収容部３の内周壁６の開口５内には、４つの保持ジョー７が周面にわたって配分されて配置されている。これらの保持ジョー７は、容器収容部３の内径を狭め且つビン２を緊締して保持する。保持ジョー７は、それぞれ開口５の側壁１７に一体に形成された溝状の案内軌道８に支承されており且つこのために、案内軌道８に係合する突出部９を有している。案内軌道８は斜め上方に向けられているので、保持ジョー７は図示のビン２のような細長い飲料容器の場合は、蓋４の上縁部を越えるまで高く案内される。これにより、高所の緊締高さが得られる。これに対して広幅の飲料容器の場合は、保持ジョー７は斜め下方に向かって押圧されるので、例えばカップは低い緊締ポイントに基づいて把持される。ばね１０は、保持ジョー７が案内軌道８に沿って容器収容部３の中心軸線に向かって押圧されるようにする。
【００１０】
図２には、容器収容部として取外し可能なパン１１を有するホルダ１ａが示されている。保持ジョー７ａは、それぞれ案内軌道８ａ内を案内されている。ビン２をセットすると、保持ジョー７ａはばね１０ａの作用に反して斜め下方に向かって押圧される。ビン２のくびれに基づき、保持ジョー７ａは最終的な緊締ポイントＫに到達するまで、上昇・下降運動を交互に行う。この場合、保持ジョー７ａの下縁部１２の傾斜と案内軌道８ａの傾斜とは、保持ジョー７ａとビン２との間の接触箇所に作用する力のベクトルが常に案内軌道８ａの方向で下方に向かって作用する成分を有しているように合わされている。これにより、飲料容器を出し入れする際に、保持ジョー７ａがロックを形成するということが防止される。更に、保持ジョー７ａの下縁部１２の傾斜は、上側のフランジ１３を簡単に把持することによりパン１１を取り外せるようにする。この場合、保持ジョー７ａの下縁部１２は、開口５の下側の開口縁部１４に沿って滑落する。パン１１を再びセットする場合、保持ジョー７ａは、パン１１の外壁に沿って最終的には開口５を通って滑動するまで、下方及び外側に向かって押圧される。パンのセット時にも取出し時にも、保持ジョー７ａを別個に操作する必要はない。
【００１１】
図３に示したホルダ１ｂも、やはり案内軌道８ｂに支承された保持ジョー７ｂを有している。この場合、各２つの非平行の案内軌道８ｂが１つの対を形成しており、これらの案内軌道８ｂには、保持ジョー７ｂの２つのピン状の突出部９ｂが係合している。ばね１０ｂは、保持ジョー７ｂをその滑り縁部１５を介して上方に向かって押圧し、これにより、所要の緊締力をもたらす。部分的に湾曲された案内軌道８ｂ及びこれらの案内軌道８ｂの非平行性に基づき、保持ジョー７ｂの摺動に際して並進運動と回転運動とが組み合わされる。線Ａは、徐々に広幅になる若しくは細くなる仮想飲料容器との間の接触点のおおよその運動軌道を示している。飲料容器の形状が非円筒形であり得ることに基づき、実際の接触点は前記線Ａからややそれていてよい。ホルダ１ｂの左半分には飲料容器として広幅のカップ６が図示されているのに対して、右半分にはビン２が示されている。細長い飲料容器の場合は高所の緊締高さが得られるのに対して、どちらかといえば背が低いことの多い広幅の飲料容器の場合は、緊締が蓋のすぐ下で行われるということが明らかになる。このようにして、細長くて背の高い飲料容器は、転倒したりずれたりしないように極めて良好に保護されており、広幅で背の低い飲料容器の場合は、上縁部が把持用にあいている。更に、ホルダ１ｂの構成高さは、公知の比較可能なホルダに比べて低い。
【図面の簡単な説明】
【００１２】
【図１】本発明によるホルダを一部破断して示した斜視図である。
【００１３】
【図２】本発明によるホルダの第２実施例の断面図である。
【００１４】
【図３】本発明によるホルダの第３実施例の断面図である。
【符号の説明】
【００１５】
１，１ａ，１ｂ  ホルダ、  ２  ビン、  ３  容器収容部、  ４  蓋、  ５  開口、  ６  周壁、  ７，７ａ，７ｂ  保持ジョー、  ８，８ａ，８ｂ  案内軌道、  ９  突出部、  １０  ばね、  １１  パン、  １２  下縁部、  １３  フランジ、  １４  下側の開口縁部、  １５  滑り縁、  １６  カップ
【図１】
2004196293.tif 000003
【図２】
2004196293.tif 000004
【図３】
2004196293.tif 000005